(57)【要約】【課題】両面反射鏡を用いて光伝送路の交換を自在に行なう光経路交換装置に関し、両面反射鏡を用いることで、必要な反射鏡の数を抑制する。【解決手段】ｍ、ｎをそれぞれＡ側、Ｂ側の入力端の序数として、１組の入力端群Ａ1〜ＡN、Ｂ1〜ＢMから伸びる光経路群Ａn−ＣnとＢm−Ｄmの交差位置に光路入換スイッチ(例えば両面反射鏡)を配置する、もしくは、配置しないことで、１組の光経路群を同時に交換する。両面反射鏡は１組の光経路群の重心線の交差角の２等分線を垂線とするように配置する。ここで、重心線の交差角は直角である必要はない。両面反射鏡で反射する場合は、入力したＡnは、両面反射鏡の位置がＲm、nであるときＤmに出力され、入力したＢmはＣnに出力される。両面反射鏡による反射がない場合は、入力したＡnはＣnに出力され、入力したＢmはＤmに出力されるようにする。【選択図】図５
2008116804.tif 000002
【特許請求の範囲】
【請求項１】
それぞれ複数の入力端を有する第１光入力部および第２光入力部と、
それぞれ複数の出力端を有する第１光出力部および第２光出力部と、
複数の光路入換スイッチを備える光路入換手段で、上記の光路入換スイッチのそれぞれは、２入力２出力を備え、それぞれの光路の入換の有無を選択することが可能な光路入換手段と、を備え、
第１光入力部に属する入力端の数と第１光出力部に属する入力端の数とは等しく、
第２光入力部に属する入力端の数と第２光出力部に属する入力端の数とは等しく、
上記の光路入換スイッチが光路入換を行なわない場合は、第１光入力部に属する予め決められた入力端から入力した光を第１光出力部に属する予め決められた出力端に出力し、第２光入力部に属する予め決められた入力端から入力した光を第２光出力部に属する予め決められた出力端に出力する構成と、
上記の光路入換スイッチが光路入換を行なう場合は、第１光入力部に属する予め決められた入力端から入力した光を反射して第２光出力部に属する予め決められた出力端に出力し、第２光入力部に属する予め決められた入力端から入力した光を反射して第１光出力部に属する予め決められた出力端に出力する構成と、を備えることを特徴とする光経路交換装置。
【請求項２】
複数の光路からなる光線束を入力あるいは出力する入力端あるいは出力端を備えることを特徴とする請求項１に記載の光経路交換装置。
【請求項３】
第１光入力部と第２光入力部は、四辺形の隣り合う辺に沿って配置され、第１光入力部と第２光入力部にそれぞれ対向する辺に沿って第１光出力部と第２光出力部とが配置され、
光反射手段は、第１光入力部に属する入力端の並びを列(あるいは行)とし、第２光入力部に属する入力端の並びを行（あるいは列）とする行列の予め決められた要素の位置に光路入換スイッチが設置されたものであることを特徴とする請求項１に記載の光経路交換装置。
【請求項４】
いずれも等しい行数と列数をもち請求項３に記載の光経路交換装置である第１光経路交換装置と第２光経路交換装置を、直列に用いるものであって、
第１光経路交換装置で、第１光入力部の第Ｍおよび第Ｎ入力端への入力をそれぞれ第２光出力部の第Ｎおよび第Ｍ出力端に出力し、第２光入力部の第Ｎおよび第Ｍ入力端への入力をそれぞれ第１光出力部の第Ｍおよび第Ｎ出力端に出力し、
第１光経路交換装置の第１および第２光出力部をそれぞれ第２光経路交換装置の第２および第１光入力部に接続し、
第２光経路交換装置で、行列配置における対角要素（Ｍ、Ｍ）および（Ｎ、Ｎ）の位置に配置された光路入換スイッチを用いて、第２光経路交換装置における第１光入力部の第Ｍおよび第Ｎ入力端をそれぞれ第２光出力部の第Ｍおよび第Ｎ出力端に出力し、第２光入力部の第Ｍおよび第Ｎ入力端をそれぞれ第１光出力部の第Ｍおよび第Ｎ出力端に出力し、
第１光経路交換装置の第１光入力部の第Ｍ光入力端と第Ｎ光入力端への入力を、第２光経路交換装置の第２光出力部のそれぞれ第Ｎ光出力端と第Ｍ光出力端へ出力し、
第１光経路交換装置の第２光入力部の第Ｍ光入力端と第Ｎ光入力端への入力を、第２光経路交換装置の第１光出力部のそれぞれ第Ｎ光出力端と第Ｍ光出力端へ出力することを特徴とする光経路交換装置。
【請求項５】
いずれも等しい行数と列数をもち請求項３に記載の光経路交換装置である第１光経路交換装置と第２光経路交換装置を、直列に用いるものであって、
第１光経路交換装置で、第１光入力部の第Ｍおよび第Ｎ入力端への入力をそれぞれ第２光出力部の第Ｎおよび第Ｍ出力端に出力し、第２光入力部の第Ｎおよび第Ｍ入力端への入力をそれぞれ第１光出力部の第Ｍおよび第Ｎ出力端に出力し、
第１光経路交換装置の第１および第２光出力部をそれぞれ第２光経路交換装置の第１および第２光入力部に接続し、
第２光経路交換装置で、行列配置における対角要素（Ｍ、Ｍ）および（Ｎ、Ｎ）の位置に配置された光路入換スイッチを用いて、第２光経路交換装置における第１光入力部の第Ｍおよび第Ｎ入力端をそれぞれ第２光出力部の第Ｍおよび第Ｎ出力端に出力し、第２光入力部の第Ｍおよび第Ｎ入力端をそれぞれ第１光出力部の第Ｍおよび第Ｎ出力端に出力し、
第１光経路交換装置の第１光入力部の第Ｍ光入力端と第Ｎ光入力端への入力を、第２光経路交換装置の第１光出力部のそれぞれ第Ｎ光出力端と第Ｍ光出力端へ出力し、
第１光経路交換装置の第２光入力部の第Ｍ光入力端と第Ｎ光入力端への入力を、第２光経路交換装置の第２光出力部のそれぞれ第Ｎ光出力端と第Ｍ光出力端へ出力することを特徴とする光経路交換装置。
【請求項６】
出力端側に集光系を備え、光路入換スイッチで反射された光を出力端に集光してから出力することを特徴とする請求項１から５のいずれかに記載の光経路交換装置。
【請求項７】
請求項１から６のいずれかに記載の光経路交換装置における入力端の一部を出力端とし、前期の入力端に対応する出力端を入力端とすることを特徴とする光経路交換装置。
【請求項８】
上記の光路入換スイッチは、両面反射鏡で構成され、上記の両面反射鏡で光反射を行なうか、あるいは、行なわないかを選択することで光路入換の有無を選択することが可能であることを特徴とする請求項１から７のいずれかに記載の光経路交換装置。
【発明の詳細な説明】
【技術分野】
【０００１】
この発明は、光路入換スイッチを用いて光伝送路の交換を自在に行なう光経路交換装置に関している。
【背景技術】
【０００２】
本発明の光経路交換装置は、例えば光通信の光交換機として用いるものであり、その構成部品には光スイッチを用いる。光スイッチとしては、２次元マイクロミラー型、ファイバ駆動型、マッハツェンダー干渉計型、あるいは全反射型光スイッチなどが知られている。
【０００３】
本発明は、これらの光スイッチを用いて構成した光路入換スイッチが基本であり、この光路入換スイッチを複数組み合わせた光経路交換装置である。２次元マイクロミラー型光スイッチは、鏡を移動して光スイッチとして用いるものであり、これを縦横に複数並べたものである。また、ファイバ駆動型光スイッチは、光ファイバを移動させて光路を切り換えるものである。マッハツェンダー干渉計型光スイッチでは、特に、熱光学光スイッチがよく知られている。また、全反射型光スイッチとしては、光ファイバの切断部の距離を変える光スイッチや、泡発生型あるいは泡移動型の光スイッチが知られている。これらは、屈折率の違いで起こる全反射の有無を制御して光スイッチに用いるものである。
【０００４】
本発明に比較的に関連する従来例として、特許文献１、２や特許文献３、４を挙げることができる。
【０００５】
特許文献１、２では、縦横に平行光経路列を配置し、平行光路の交差位置に片面反射鏡を移動して光経路を順次切り替えようとするものである。また、特許文献３には、マトリクス状に回転する可動ミラーを配置した光路切替装置が開示されている。さらに、特許文献４には、マトリクス状に可動ミラーを配置したマトリックス光スイッチが開示されている。ここで、可動ミラーは例えば、ＭＥＭＳ（MEMS：Micro Electro Mechanical System）である。
【０００６】
しかし、これらの文献に於ける開示は、基本的に、片面反射鏡を移動して光経路を切り替えるようとするものであり、このような反射鏡の移動を抑制した光路切換装置では、切り換える光路の数が増加すると、必要な反射鏡の数が急激に増加する。
【特許文献１】特開昭５４−１２２１３４号公報
【特許文献２】特公昭６２−３９４０２号公報
【特許文献３】特公平３−８１１３１号公報
【特許文献４】特開２００５−６２４７１号公報
【発明の開示】
【発明が解決しようとする課題】
【０００７】
上記のような特許文献１から４に記載された従来方法では、反射鏡が片面反射を利用するものであることから、反射鏡一つに対して一つの光経路しか切り換えができなかった。そのため、複数の光経路の切り換えには光経路と同数の反射鏡を用意する必要があった。本発明では、両面反射鏡を用いた光スイッチ、あるいは、それと等価な機能をもった光スイッチを用いるものであり、特に両面反射鏡を用いる場合には、必要な反射鏡の数を抑制することができる。
【発明の効果】
【０００８】
この発明では、反射鏡の移動方式を同じものを用いると仮定すると、従来のものに比べて概ね半分の反射鏡数で光路切換ができるようになる。
【課題を解決するための手段】
【０００９】
反射鏡を用いた従来例を、図２に示す。ここで用いる反射鏡は両面反射鏡である必要は無く片面反射鏡である。図２（ａ）の反射鏡配置では、光は、ＡからＣに、またＢからＤに向かう。また、図２（ｂ）では、光は、ＡからＤに、またＢからＣに向かう。このように反射鏡の位置で光経路の交換をおこなうことができる。
【００１０】
本発明の原理を図１に示すように、本発明では、ＡあるいはＢから光を入力して、ＣあるいはＤに出力する。ここで用いる反射鏡は両面反射鏡である。この際、反射がない場合（図１（ａ））には、光は、ＡからＣに、またＢからＤに向かう。また、反射がある場合（図１（ｂ））には、光は、ＡからＤに、またＢからＣに向かう。このように反射の有無で光経路の交換をおこなうことができる。図１と図２との比較から分かるように、本発明で用いる反射鏡の数は、従来例に比べて原理的に少なくすることができる。
【００１１】
以下では、両面反射鏡を用いた例について説明するが、これと等価な機能を持つものであれば、両面反射鏡の代わりに用いることができる事は明らかである。これは、ファイバ駆動型光スイッチ、マッハツェンダー干渉計型光スイッチ、あるいは全反射型光スイッチで実現できる。
【００１２】
例えば、ファイバ駆動型光スイッチで、図１（ａ）と（ｂ）の切換を行なう光路を実現するには、入力Ａ、Ｂに対して、それぞれ出力Ｄ、Ｃを接続し、切換があったときには、入力Ａ、Ｂに対して、それぞれ出力Ｃ、Ｄを接続する。
【００１３】
また、マッハツェンダー干渉計型光スイッチは、２入力２出力であり、図１（ａ）と（ｂ）の切換を行なう機能を既に備えている。
【００１４】
また、全反射型光スイッチの例として、例えば、泡発生型あるいは泡移動型の光スイッチを用いる場合には、図１（ｂ）の両面反射鏡の位置に泡が位置するようにすればよい。
【００１５】
本発明の光経路交換装置は、図１の光入力端数や光出力端を複数にしたものであり、
それぞれ複数の入力端を有する第１光入力部および第２光入力部と、
それぞれ複数の出力端を有する第１光出力部および第２光出力部と、
複数の光路入換スイッチを備える光路入換手段で、上記の光路入換スイッチのそれぞれは、２入力２出力を備え、それぞれの光路の入換の有無を選択することが可能な光路入換手段と、を備え、
第１光入力部に属する入力端の数と第１光出力部に属する入力端の数とは等しく、
第２光入力部に属する入力端の数と第２光出力部に属する入力端の数とは等しく、
上記の光路入換スイッチが光路入換を行なわない場合は、第１光入力部に属する予め決められた入力端から入力した光を第１光出力部に属する予め決められた出力端に出力し、第２光入力部に属する予め決められた入力端から入力した光を第２光出力部に属する予め決められた出力端に出力する構成と、
上記の光路入換スイッチが光路入換を行なう場合は、第１光入力部に属する予め決められた入力端から入力した光を反射して第２光出力部に属する予め決められた出力端に出力し、第２光入力部に属する予め決められた入力端から入力した光を反射して第１光出力部に属する予め決められた出力端に出力する構成と、を備えるものである。
【００１６】
また、本発明の光経路交換装置は、複数の光路からなる光線束を入力あるいは出力する入力端あるいは出力端を備えるものである。
【００１７】
また、本発明の光経路交換装置は、第１光入力部と第２光入力部は、四辺形の隣り合う辺に沿って配置され、第１光入力部と第２光入力部にそれぞれ対向する辺に沿って第１光出力部と第２光出力部とが配置され、
光反射手段は、第１光入力部に属する入力端の並びを列(あるいは行)とし、第２光入力部に属する入力端の並びを行（あるいは列）とする行列の予め決められた要素の位置に光路入換スイッチが設置されたものである。
【００１８】
また、本発明の光経路交換装置は、いずれも等しい行数と列数をもち上で記載した光経路交換装置である第１光経路交換装置と第２光経路交換装置を、直列に用いるものであって、
第１光経路交換装置で、第１光入力部の第Ｍおよび第Ｎ入力端への入力をそれぞれ第２光出力部の第Ｎおよび第Ｍ出力端に出力し、第２光入力部の第Ｎおよび第Ｍ入力端への入力をそれぞれ第１光出力部の第Ｍおよび第Ｎ出力端に出力し、
第１光経路交換装置の第１および第２光出力部をそれぞれ第２光経路交換装置の第２および第１光入力部に接続し、
第２光経路交換装置で、行列配置における対角要素（Ｍ、Ｍ）および（Ｎ、Ｎ）の位置に配置された光路入換スイッチを用いて、第２光経路交換装置における第１光入力部の第Ｍおよび第Ｎ入力端をそれぞれ第２光出力部の第Ｍおよび第Ｎ出力端に出力し、第２光入力部の第Ｍおよび第Ｎ入力端をそれぞれ第１光出力部の第Ｍおよび第Ｎ出力端に出力し、
第１光経路交換装置の第１光入力部の第Ｍ光入力端と第Ｎ光入力端への入力を、第２光経路交換装置の第２光出力部のそれぞれ第Ｎ光出力端と第Ｍ光出力端へ出力し、
第１光経路交換装置の第２光入力部の第Ｍ光入力端と第Ｎ光入力端への入力を、第２光経路交換装置の第１光出力部のそれぞれ第Ｎ光出力端と第Ｍ光出力端へ出力するものである。
【００１９】
また、本発明の光経路交換装置は、いずれも等しい行数と列数をもち請求項３に記載の光経路交換装置である第１光経路交換装置と第２光経路交換装置を、直列に用いるものであって、
第１光経路交換装置で、第１光入力部の第Ｍおよび第Ｎ入力端への入力をそれぞれ第２光出力部の第Ｎおよび第Ｍ出力端に出力し、第２光入力部の第Ｎおよび第Ｍ入力端への入力をそれぞれ第１光出力部の第Ｍおよび第Ｎ出力端に出力し、
第１光経路交換装置の第１および第２光出力部をそれぞれ第２光経路交換装置の第１および第２光入力部に接続し、
第２光経路交換装置で、行列配置における対角要素（Ｍ、Ｍ）および（Ｎ、Ｎ）の位置に配置された光路入換スイッチを用いて、第２光経路交換装置における第１光入力部の第Ｍおよび第Ｎ入力端をそれぞれ第２光出力部の第Ｍおよび第Ｎ出力端に出力し、第２光入力部の第Ｍおよび第Ｎ入力端をそれぞれ第１光出力部の第Ｍおよび第Ｎ出力端に出力し、
第１光経路交換装置の第１光入力部の第Ｍ光入力端と第Ｎ光入力端への入力を、第２光経路交換装置の第１光出力部のそれぞれ第Ｎ光出力端と第Ｍ光出力端へ出力し、
第１光経路交換装置の第２光入力部の第Ｍ光入力端と第Ｎ光入力端への入力を、第２光経路交換装置の第２光出力部のそれぞれ第Ｎ光出力端と第Ｍ光出力端へ出力するものである。
【００２０】
また、本発明の光経路交換装置では、出力端側に集光系を備え、光路入換スイッチで反射された光を出力端に集光してから出力するものである。
【００２１】
また、本発明の光経路交換装置では、一部の入力端と出力端とを入換えて用いるもので、光経路交換装置における入力端の一部を出力端とし、前期の入力端に対応する出力端を入力端とするものである。
【００２２】
より具体的には、上記の光路入換スイッチは、両面反射鏡で構成し、上記の両面反射鏡で光反射を行なうか、あるいは、行なわないかを選択することで光路入換の有無を選択することができる。
【発明を実施するための最良の形態】
【００２３】
以下に、この発明の実施の形態を図面に基づいて詳細に説明する。以下の説明においては、同じ機能あるいは類似の機能をもった装置に、特別な理由がない場合には、同じ符号を用いるものとする。また、上記の様に、以下では両面反射鏡を用いた例について説明するが、これと等価な機能を持つものであれば、両面反射鏡の代わりに用いることができる。
【実施例１】
【００２４】
まず、本発明で用いる主要部品から説明する。図３は、本発明に適用することのできる可動鏡を説明するための図である。両面反射鏡１は、コントローラ２０で制御された直線型駆動部２によって駆動され、両面反射鏡による反射の有無が設定される。両面反射鏡１が図３の実線の位置にあるとき、入力端４（あるいは５）から入力した光は、光路１０を辿り、両面反射鏡１（あるいはその裏面）で反射され、集光系９（あるいは８）で出力端７（あるいは６）に集光され、出力端７（あるいは６）を通じて出力される。また、両面反射鏡１が図３の破線の位置にあるとき、入力端４（あるいは５）から入力した光は、光路１１を辿り、反射されず、集光系８（あるいは９）で出力端６（あるいは７）に集光され、出力端６（あるいは７）を通じて出力される。
【００２５】
図３の駆動部は、直線型であったが、図４は、両面反射鏡１の回転型駆動部３であり、コントローラ２０で制御される。本発明では、反射の有無を制御できれば適用することができるので、両面反射鏡の駆動部については、この他のものを用いることができることは明らかである。
【００２６】
上記の図３あるいは図４に示した両面反射鏡を用いた本発明の例として模式図を図５に示す。ｍ、ｎをそれぞれＡ側、Ｂ側の入力端の序数として、例えば２組の入力端群（Ａ１〜Ａ５）、（Ｂ１〜Ｂ４）から伸びる光経路群（Ａn−ＣnとＢm−Ｄm）の交差位置に両面反射鏡を配置する、もしくは、配置しないことで、１組の光経路群を同時に交換する。両面反射鏡は１組の光経路群の重心線の交差角の２等分線を垂線とするように配置する。ここで、重心線の交差角は直角である必要はない。両面反射鏡で反射する場合は、入力したＡnは、両面反射鏡の位置がＲm、nであるときＤmに出力され、入力したＢmはＣnに出力される。両面反射鏡による反射がない場合は、入力したＡnはＣnに出力され、入力したＢmはＤmに出力される。
【００２７】
従って、Ｒm、nとＲm、n（ｍ＜ｎとする）の位置にある２つの両面反射鏡によって、ＣとＤの出力には、次のように入れ換えられた出力を得ることができる。
第１光出力部：Ｃ側（Ａ1Ａ2・・・Ｂn・・・Ｂm・・・ＡM）
第２光出力部：Ｄ側（Ｂ1Ｂ2・・・Ａn・・・Ａm・・・ＢN）
【００２８】
ここで、両面反射鏡は、Ｒm、nで表現される全ての行列要素に配置する必要はなく、実用上は、使用する要素に対応する位置に配置すればよい。また、２つの両面反射鏡に限定する必要はなく、さらに多数の両面反射鏡を用いることができる。例えば、上記でＲ1、2とＲ2、1に、さらに反射鏡を設置することで、Ａ1とＡ2、Ｂ1とＢ2とを、ＡnとＡm、ＢnとＢmと同様に入換ることが出来る。
【００２９】
図５では、両面反射鏡で反射する光経路は１光路のみであるが、図６に示す様にひとつの光経路に複数の光路がある場合でも、何らの困難なしに適用することができる。さらに、一般に経路束がＭ×Ｎ本（Ｍ、Ｎは自然数）の場合、例えば、光経路束が３×２本の光経路が行列状に配列した光経路群の場合でも、本発明を適用することができる。光経路群内の光経路は入出力の両端で互いに分離できれば平行である必要はなく、さらに、２次元的もしくは３次元的に不等間隔に配置されてもよい。図６の例では、光経路束の各経路の進行方向が同一になっているが、逆方向や双方向を含め、同一である必要もなく、混在していても構わない。
【００３０】
さらに、光経路交換装置における各光経路長は、入力端および出力端に余長を設けることで同一、もしくは、指定誤差範囲内の全長に調整することが可能である。
【実施例２】
【００３１】
図７は、第１および第２光入力部の入力端数を互いに等しくした例である。この場合は、Ｒm、nは正方行列（Ｍ×Ｍ）となる。ｍ≠ｎの場合には、上記と同様に入力された端位置の光の順序を入れ換えて出力することができることは明らかであるが、ｍ＝ｎで対角線上にある場合は、序数ｍの入力に対する出力先を入れ換えて出力する。
【００３２】
このため、（１）Ｒm、nとＲn、mとで両面反射するものとし、さらに、（２）Ｒm、mとＲn、n以外の対角部分で両面反射するようにすることで、
第１光出力部：Ｃ側（Ｂ1Ｂ2・・・Ｂn・・・Ｂm・・・ＢM）、
第２光出力部：Ｄ側（Ａ1Ａ2・・・Ａn・・・Ａm・・・ＡN）、
となるようにＡあるいはＢの並びのｍ、ｎ番を入換えることができる。
【００３３】
例えば、図７では、
第１光出力部：Ｃ側（Ａ1Ｂ3Ｂ2Ｂ4）、
第２光出力部：Ｄ側（Ｂ1Ａ3Ａ2Ａ4）、
であるが、Ｒ1、1で両面反射することにより、
第１光出力部：Ｃ側（Ｂ1Ｂ3Ｂ2Ｂ4）、
第２光出力部：Ｄ側（Ａ1Ａ3Ａ2Ａ4）、
となり、それぞれの２、３番を入換ることになる。
【００３４】
さらに、図８は、複数の光経路交換装置を用いたもので、第１光経路交換装置と第２光経路交換装置を接続したものである。但し、第１光経路交換装置の第１（あるいは第２）光出力部からの出力を第２光経路交換装置の第２（あるいは第１）光入力部へ入力する。その入力順の一部を入換えた出力を、第２の光経路交換装置の第２（あるいは第１）光出力部から出力する。例えば、第１光経路交換装置のＭ行Ｍ列のＲm、nとＲm、n（ｍ＜ｎとする）の位置に両面反射鏡を設け、第２光経路交換装置のＲm、mとＲn、n（ｍ＜ｎとする）に両面反射鏡を設けることで、第１光経路交換装置へのＡ側およびＢ側への入力：
（Ａ1Ａ2・・・ＡM）および（Ｂ1Ｂ2・・・ＢN）
のそれぞれの内部の一部を入れ換えて、
第２光経路交換装置へのＣ側およびＤ側への出力：
Ｃ側（Ｂ1Ｂ2・・・Ｂn・・・Ｂm・・・ＢM）
Ｄ側（Ａ1Ａ2・・・Ａn・・・Ａm・・・ＡM）
を得ることができる。
【００３５】
また、図９も複数の光経路交換装置を用いて上記の入換特性を用いたものであるが、図８とは異なる接続法で第１光経路交換装置と第２光経路交換装置を接続したものである。但し、第１光経路交換装置の第１（あるいは第２）光出力部からの出力を第２光経路交換装置の第１（あるいは第２）光入力部へ入力する。上記と同様に両面反射鏡を設けることで、第１光経路交換装置へのＡ側およびＢ側への入力：
（Ａ1Ａ2・・・ＡM）および（Ｂ1Ｂ2・・・ＢN）
のそれぞれの内部の一部を入換えて、
第２光経路交換装置へのＣ側およびＤ側への出力：
Ｃ側（Ａ1Ａ2・・・Ａn・・・Ａm・・・ＡM）および
Ｄ側（Ｂ1Ｂ2・・・Ｂn・・・Ｂm・・・ＢM）
を得ることができる。
【００３６】
Ａ系統、Ｂ系統をそれぞれ送信、受信に使うなどして、対で使う場合には、同時に入換えることができることになる。図６に示す構成は、類似の機能を備えているが、図６の場合は光経路が並行するのに対して、図８あるいは図９の構成では、光経路を直交させることができ、クロストークを抑制する上で有利である。
【産業上の利用可能性】
【００３７】
両面反射体の配置方法により、幾つかの光スイッチを形成できる。例えば図５で、光経路の進行方向がＡ側からＣ側、Ｂ側からＤ側の方向であり、ＡmとＣm、および、ＢnとＤnがそれぞれ、同じ目的地との往復リンクである場合、双方向同時交換モードをもった光スイッチとなる。さらに、ＡmとＣmが制御局などとリンクされていて、ＢnとＤnがリンクされた目的地に設置されたセンサを介してセンシングを行う場合、スキャニングモードとして働かせることができる。このセンシングが一つずつ順次行われれば、シーケンシャル・スキャニングモード、全てセンシングが同時に行われれば、マルチ・スキャニングモード、一部のセンシングが選択的に行われれば、セレクティブ・スキャニングモードとなる。この他、特定の光経路Ａm−Ｃmの列ｍに対し、全ての両面反射体が配置された場合、全てのＢn−Ｄnの目的地に対してブロードキャスティングもしくはモニターを行う、ブロードキャストモードもしくはモニターモードとなる。また、各入力に異なる波長もしくは異なる波長群が割り当てられた場合、波長同時交換が可能となる。
【図面の簡単な説明】
【００３８】
【図１】本発明の原理を示す模式図である。
【図２】従来技術の原理を示す模式図である。
【図３】本発明で用いる主要部品を示す模式図である。
【図４】本発明で用いる主要部品を示す模式図である。
【図５】本発明の模式図である。
【図６】ひとつの光経路に複数の光路がある場合の本発明の模式図である。
【図７】第１および第２光入力部の入力端数を互いに等しくした例を示す模式図である。
【図８】第１光経路交換装置と第２光経路交換装置を接続した例を示す模式図である。
【図９】第１光経路交換装置と第２光経路交換装置を接続した他の例を示す模式図である。
【符号の説明】
【００３９】
１  両面反射鏡
２  直線型駆動部
３  回転型駆動部
４、５  入力端
６、７  出力端
８、９  集光系
１０、１１  光路
２０  コントローラ
【図１】
2008116804.tif 000003
【図２】
2008116804.tif 000004
【図３】
2008116804.tif 000005
【図４】
2008116804.tif 000006
【図５】
2008116804.tif 000007
【図６】
2008116804.tif 000008
【図７】
2008116804.tif 000009
【図８】
2008116804.tif 000010
【図９】
2008116804.tif 000011